(57)【要約】      （修正有）【課題】簡易な構成によって、送風効率の低下を抑制しつつ、コイルを冷却することができる送風装置を提供する【解決手段】送風装置１００は、少なくとも一部がインペラの径方向外端よりも径方向外方に配置されるハウジング４を有する。ステータ２０は、マグネットの径方向外方に配置されるアンブレラ部と、アンブレラ部よりも径方向外方に配置され、径方向と略直交する第１方向に延びる第１コア部と、アンブレラ部と第１コア部とを接続する第２コア部とを有するステータコア２１と、第１コア部の少なくとも一部を覆うインシュレータ２２と、第１コア部に導線が巻かれることによって形成されるコイル２３と、を有する。ハウジングは、コイルよりも径方向外方に配置される第１領域４１を有する。第１領域の径方向内面は、コイルの径方向外面と径方向に対向している。【選択図】図３
2020193602.tif 000002
【特許請求の範囲】
【請求項１】
上下に延びる中心軸に沿って配置されるシャフトと、前記シャフトに固定されるマグネットと、を有するロータと、
前記ロータと径方向に対向して配置されるステータと、
前記シャフトに固定され、前記中心軸回りに回転可能なインペラと、
少なくとも一部が前記インペラの径方向外端よりも径方向外方に配置されるハウジングと、
を有し、
前記ステータは、
前記マグネットの径方向外方に配置されるアンブレラ部と、前記アンブレラ部よりも径方向外方に配置され、径方向と略直交する第１方向に延びる第１コア部と、前記アンブレラ部と前記第１コア部とを接続する第２コア部と、を有するステータコアと、
前記第１コア部の少なくとも一部を覆うインシュレータと、
前記インシュレータを介して前記第１コア部に導線が巻かれることによって形成されるコイルと、
を有し、
前記ハウジングは、前記コイルよりも径方向外方に配置される第１領域を有し、
前記第１領域の径方向内面は、前記コイルの径方向外面と径方向に対向している、送風装置。
【請求項２】
前記ハウジングは、前記第１領域よりも下方に配置される第２領域を有し、
前記第２領域の径方向内端は、前記第１領域の径方向内端よりも径方向内方に配置されている、請求項１に記載の送風装置
【請求項３】
前記第２領域の径方向内面は、下方に向かうにつれて径方向内方に延びる、請求項２に記載の送風装置。
【請求項４】
前記第２領域の径方向内端は、前記コイルの下端よりも下方、かつ、前記コイルの径方向外端よりも径方向内方に配置されている、請求項２又は３に記載の送風装置。
【請求項５】
前記ハウジングは、前記コイルの前記第１方向の一方端よりも前記第１方向一方において、前記第１領域から前記中心軸に近づく方向に延びる第３領域を有する、請求項１から４のいずれかに記載の送風装置。
【請求項６】
前記第３領域の下端は、前記コイルの下端よりも下方に配置される、請求項４に記載の送風装置。
【請求項７】
前記第３領域の少なくとも一部は、前記第２コア部と周方向に接触している、請求項５又は６に記載の送風装置。
【請求項８】
前記ハウジングは、前記第２領域よりも径方向内方において軸方向に貫通する貫通孔を有する、請求項２から７のいずれかに記載の送風装置。
【請求項９】
軸方向に略直交する方向に拡がり、上面に複数の素子が配置される基板を有し、
前記素子の少なくとも一部は、前記貫通孔と軸方向に重なる、請求項８に記載の送風装置。
【請求項１０】
請求項１から９のいずれかに記載の送風装置を有する、掃除機。
【発明の詳細な説明】
【技術分野】
【０００１】
本発明は、送風装置、および掃除機に関する。
【背景技術】
【０００２】
従来の送風装置においては、ステータコイルを有するステータユニットがケース本体に収納され、軸受装着部を貫通した回転子軸の端部に遠心ファンが固定され、遠心ファン及びケース端面板を覆うようにファンカバーが一端開口部に取り付けられ、ステータコイル及び電気系ユニットが樹脂モールドにより覆われている（特許文献１）。
【０００３】
上記構成によって、防塵・防水効果を維持したまま組み付け部品点数の削減並びに組み付け作業の向上を実現することができ、しかも、冷却効率や送風効率を向上させることができる。
【先行技術文献】
【特許文献】
【０００４】
【特許文献１】特開平１１−１４８４８４号公報
【発明の概要】
【発明が解決しようとする課題】
【０００５】
しかしながら、従来の送風装置においては、簡易な構成によって送風効率の低下を抑制しつつ、コイルを冷却することが困難である。
【０００６】
上記状況に鑑み、本発明は、簡易な構成によって、送風効率の低下を抑制しつつ、コイルを冷却することができる送風装置を提供することを目的とする。
【課題を解決するための手段】
【０００７】
本発明の例示的な実施形態に係る送風装置は、上下に延びる中心軸に沿って配置されるシャフトと、前記シャフトに固定されるマグネットと、を有するロータと、前記ロータと径方向に対向して配置されるステータと、前記シャフトに固定され、前記中心軸回りに回転可能なインペラと、少なくとも一部が前記インペラの径方向外端よりも径方向外方に配置されるハウジングと、を有し、前記ステータは、前記マグネットの径方向外方に配置されるアンブレラ部と、前記アンブレラ部よりも径方向外方に配置され、径方向と略直交する第１方向に延びる第１コア部と、前記アンブレラ部と前記第１コア部とを接続する第２コア部と、を有するステータコアと、前記第１コア部の少なくとも一部を覆うインシュレータと、前記インシュレータを介して前記第１コア部に導線が巻かれることによって形成されるコイルと、を有し、前記ハウジングは、前記コイルよりも径方向外方に配置される第１領域を有し、前記第１領域の径方向内面は、前記コイルの径方向外面と径方向に対向している。
【発明の効果】
【０００８】
本発明の送風装置によれば、簡易な構成によって、送風効率の低下を抑制しつつ、コイルを冷却することができる。
【図面の簡単な説明】
【０００９】
【図１】図１は、本発明の例示的な実施形態に係る掃除機の斜視図である。
【図２】図２は、本発明の例示的な実施形態に係る送風装置の斜視図である。
【図３】図３は、本発明の例示的な実施形態に係る送風装置の縦断面図である。
【図４】図４は、本発明の例示的な実施形態に係る送風装置の横断面図である。
【図５】図５は、本発明の例示的な実施形態に係る第１ハウジングを上方から見た斜視図である。
【図６】図６は、本発明の例示的な実施形態に係る第１ハウジングを下方から見た斜視図である。
【図７】図７は、本発明の例示的な実施形態に係る第２ハウジングを上方から見た斜視図である。
【図８】図８は、本発明の例示的な実施形態に係る第２ハウジングを下方から見た斜視図である。
【発明を実施するための形態】
【００１０】
以下、本発明の例示的な実施形態について図面を参照しつつ説明する。なお、本明細書では、送風装置１００の中心軸Ｊが延びる方向を「上下方向」または「軸方向」、送風装置１００の中心軸Ｊに直交する方向を「径方向」、送風装置１００の中心軸Ｊを中心とする円弧に沿う方向を「周方向」とそれぞれ称する。ただし、上記の「上下方向」は、実際に機器に組み込まれる際の送風装置１００の方向を限定しない。また、図面においては、便宜上、図面の記載内容が実際の構造と異なる場合がある。さらに、図面においては、便宜上、ハッチングを省略することがある。なお、本明細書においては、上下方向、軸方向、径方向、周方向等の単語は、厳密にそれらの方向のみを指すのではなく、それらの方向から少し傾いた方向も含むものとする。
【００１１】
また、本明細書では、掃除機Ａにおいて、床面Ｆに近づく方向を「下方」とするとともに、床面Ｆから離れる方向を「上方」として、各部の形状および位置関係を説明する。なお、これらの方向は、単に説明のために用いられる名称であって、実際の位置関係および方向を限定しない。また、「上流」および「下流」は、送風装置１００を駆動させた際に吸気部１０３から吸い込まれた気体の流通方向の上流および下流をそれぞれ示す。
【００１２】
本発明の例示的な実施形態の掃除機Ａについて説明する。図１は、本発明の例示的な実施形態に係る掃除機Ａの斜視図である。掃除機Ａは、所謂スティック型の電気掃除機であり、下面および上面にそれぞれ吸気部１０３および排気部１０４が構成されている筐体１０２を備える。筐体１０２の背面からは電源コード（不図示）が導出される。電源コードは居室の側壁面に設けた電源コンセント（不図示）に接続され、掃除機Ａに電力を供給する。なお、掃除機Ａは所謂ロボット型、キャニスター型またはハンディ型の電気掃除機でもよい。
【００１３】
筐体１０２内には吸気部１０３と排気部１０４とを連結する空気通路（不図示）が形成される。空気通路内には上流側から下流側に向かって集塵部（不図示）、フィルタ（不図示）および送風装置１００が順に配置される。送風装置１００は、後述のインペラ３０を有する。気体通路内を流通する気体に含まれる塵埃等のゴミはフィルタにより遮&#19277;され、容器状に形成される集塵部内に集塵される。集塵部およびフィルタは、筐体１０２に対して着脱可能に構成される。
【００１４】
筐体１０２の上部には把持部１０５および操作部１０６が設けられる。使用者は把持部１０５を把持して掃除機Ａを移動させることができる。操作部１０６は複数のボタン１０６ａを有し、ボタン１０６ａの操作によって掃除機Ａの動作設定を行う。例えば、ボタン１０６ａの操作により、送風装置１００の駆動開始、駆動停止、および回転数の変更等が指示される。吸気部１０３には棒状の吸引管１０７の下流端（図中、上端）が接続される。吸引管１０７の上流端には吸引ノズル１０８が吸引管１０７に対して着脱可能に取り付けられる。床面Ｆ上のゴミは、吸引ノズル１０８を通って吸引管１０７に吸い込まれる。
【００１５】
図２は、送風装置１００の斜視図である。図３は、送風装置１００の縦断面図である。より詳細に述べると、図３は、図２における仮想面Ａ−Ａによって切断した送風装置１００の横断面図である。図２及び図３を参照して、送風装置１００は、モータ１と、モータ１によって回転駆動されるインペラ３０を備える。より詳細に述べると、送風装置１００は、ロータ１０と、ステータ２０と、インペラ３０と、ハウジング４と、を有する。
【００１６】
モータ１は、ロータ１０と、ステータ２０と、を有する。ロータ１０は、シャフト１１と、マグネット１２と、を備える。より詳細に述べると、ロータ１０は、上下に延びる中心軸Ｊに沿って配置されるシャフト１１を有する。シャフト１１は、後述する軸受９０によって、ステータ２０に対して回転可能に支持される。本実施形態においては、軸受９０は、上軸受９１と、下軸受９２と、を有する。マグネット１２は、シャフト１１に固定される。マグネット１２は、軸方向に並ぶ複数の環状のマグネット片１２１を有する。マグネット１２の上方には上スペーサ１３が配置され、下方には、下スペーサ１４が配置される。マグネット１２の上面は、上スペーサ１３の下面に接触し、マグネット１２の下面は、下スペーサ１４の上面に接触する。本実施形態においては、マグネット１２は、接着剤によってシャフト１１の径方向外面に固定される。ただし、マグネット１２は、他の手段によってシャフト１１に固定されてもよく、他の部材を介してシャフト１１と間接的に固定されてもよい。
【００１７】
図４は、本発明の例示的な実施形態に係る送風装置の横断面図である。より詳細に述べると、図４は、図２における仮想面Ｂ−Ｂによって切断した送風装置１００の横断面図である。図３及び図４を参照して、ステータ２０は、ロータ１０と径方向に対向して配置される。ステータ２０は、ステータコア２１と、インシュレータ２２と、コイル２３と、を有する。
【００１８】
ステータコア２１は、アンブレラ部２１１と、第１コア部２１２と、第２コア部２１３と、を有する。アンブレラ部２１１は、マグネット１２の径方向外方に配置される。第１コア部２１２は、アンブレラ部２１１よりも径方向外方に配置される。第１コア部２１２は、径方向と略直交する第１方向Ｄ１に延びる。本実施形態においては、第１コア部２１２の第１方向Ｄ１における中央と中心軸Ｊを結ぶ径方向と、第１方向Ｄ１とが、略直交している。第２コア部２１３はアンブレラ部２１１と第１コア部２１２とを接続する。本実施形態においては、第２コア部２１３は、第１方向Ｄ１と略直交する第２方向Ｄ２に延びる。
【００１９】
インシュレータ２２は、第１コア部２１２の少なくとも一部を覆う。本実施形態においては、インシュレータ２２は、上インシュレータ２２１と、下インシュレータ２２２と、を有する。上インシュレータ２２１は、ステータコア２１の上面の少なくとも一部を覆う。下インシュレータ２２２は、ステータコア２１の下面の少なくとも一部を覆う。なお、インシュレータ２２は、単一の部材で構成されていてもよいし、３個以上の部材によって構成されていてもよい。
【００２０】
コイル２３は、インシュレータ２２を介して第１コア部２１２に導線が巻かれることによって形成される。導線の端部は、後述する基板９３に電気的に接続される。本実施形態においては、導線の端部は、端子（不図示）に電気的に接続され、端子が基板９３に電気的に接続されている。図４に示す通り、平面視において、コイル２３の第１方向Ｄ１における長さは、第２方向Ｄ２における長さよりも長い。コイル２３の第１方向Ｄ１における長さは、マグネット１２の直径よりも長い。これにより、モータ１の径方向の長さが長くなることを抑制しつつ、モータ１の出力を増加させることができる。コイル２３は、いわゆるトロイダル型のコイルである。
【００２１】
図２及び図３を参照して、インペラ３０は、ハブ３１と、複数のブレード３２と、インペラ凹部３３と、を有する。ハブ３１は、径方向の中心部から径方向外方かつ下方に拡がる部位である。複数のブレード３２は、ハブ３１の上面において周方向等間隔に配列される。インペラ凹部３３は、ハブ３１の径方向中心部において、上方に凹んでいる。シャフト１１は、インペラ凹部３３に接着固定される。つまり、インペラ３０は、シャフト１１に固定され、中心軸Ｊ回りに回転可能である。なお、インペラ３０は、中心軸Ｊに直交する方向に拡がる主板と主板の上面に配列される複数のブレードとを有する構成であってもよい。また、インペラ３０とシャフト１１は、他の手段や構成によって固定されていてもよい。
【００２２】
図３を参照して、ハウジング４は、第１ハウジング５０と、第２ハウジング６０と、第３ハウジング７０と、第４ハウジング８０と、を有する。図５は、本発明の例示的な実施形態に係る第１ハウジング５０を上方から見た斜視図である。図６は、本発明の例示的な実施形態に係る第１ハウジング５０を下方から見た斜視図である。図７は、本発明の例示的な実施形態に係る第２ハウジング６０を上方から見た斜視図である。図８は、本発明の例示的な実施形態に係る第２ハウジング６０を下方から見た斜視図である。なお、ハウジング４は、５つ以上の部材によって構成されていてもよいし、３つ以下の部材によって構成されてもよい。
【００２３】
第１ハウジング５０は、ハウジング４の一部である。ハウジング４の少なくとも一部は、インペラ３０の径方向外端よりも径方向外方に配置される。図３から図６を参照して、第１ハウジング５０は、外筒部５１と、外壁部５２と、内壁部５３と、を有する。外筒部５１は、軸方向に延びる筒状の部位である。外壁部５２は、外筒部５１の下部から下方に延びる部位である。本実施形態においては、外壁部５２は、外筒部５１の下部から下方に延び、円筒の周方向の一部を成す部位である。外壁部５２は、周方向等間隔に３か所配置されている。
【００２４】
内壁部５３は、外壁部５２の周方向の両端部から中心軸Ｊに近づく方向に延びる壁状の部位である。本実施形態においては、周方向に隣接する外壁部５２における周方向に対向する部位からは、互いに内壁部５３が中心軸Ｊに近づく方向に延び、２か所の内壁部５３の径方向内端部は、互いに接続される。
【００２５】
周方向に隣接する内壁部５３が接続される領域には、突出部５４が形成される。突出部５４は、内壁部５３の径方向内端部から上方に延びる部位である。本実施形態においては、突出部５４は、軸方向に延びる円柱状の部位である。突出部５４の下面５４１は、上インシュレータ２２１の上面と接触する。突出部５４の下面５４１には、上方に凹む凹部が形成されており、固定部材が凹部に挿入されることによってステータ２０と第１ハウジング５０とが固定される。なお、ステータ２０と第１ハウジング５０とは、他の手段によって固定されてもよい。例えば、第１ハウジング５０の少なくとも一部がステータコア２１と固定されてもよい。
【００２６】
突出部５４の上端部は、軸受保持部５５に接続される。軸受保持部５５は、貫通孔を有し、軸方向に直交する方向に拡がる天面部５５１と、天面部５５１の径方向外縁から下方に延びる筒状の筒状部５５２と、を有する。筒状部５５２の径方向内面には、上軸受９１が固定される。
【００２７】
第２ハウジング６０は、ハウジング４の一部である。図３、及び、図７と図８を参照して、第２ハウジング６０は、外壁部６１と、内壁部６２と、と有する。外壁部６１は、第１ハウジング５０の外壁部５１の下端部と接続し、下方に延びる部位である。本実施形態においては、外壁部６１は、第１ハウジング５０の外壁部５２の下端部と接続し、略軸方向に延びる壁部６１１と、壁部６１１の下端部から下方かつ中心軸Ｊに近づく方向に延びる曲面部６１２と、を有する。外壁部６１は、周方向等間隔に３か所配置される。
【００２８】
内壁部６２は、第１ハウジング５０の内壁部５３の下端部と接続し、下方に延びる部位である。内壁部６２は、外壁部６１の周方向の両端部から中心軸Ｊに近づく方向に延びる壁状の部位である。本実施形態においては、周方向に隣接する外壁部６１における周方向に対向する部位からは、互いに内壁部６２が中心軸Ｊに近づく方向に延びる。当該２か所の内壁部６２の径方向内端部は、互いに接続される。
【００２９】
周方向に隣接する内壁部６２が接続される領域には、第１突出部６３が形成される。第１突出部６３は、内壁部６２の径方向内端部から下方に延びる部位である。本実施形態においては、第１突出部６３は、軸方向に延びる円柱状の部位である。第１突出部６３の上面６３１は、下インシュレータ２２２の上面と接触する。第１突出部６３には、軸方向に貫通する貫通孔が形成されており、固定部材が貫通孔に挿入されることによってステータ２０と第２ハウジング６０とが固定される。なお、ステータ２０と第２ハウジング６０とは、他の手段によって固定されてもよい。例えば、第２ハウジング６０の少なくとも一部がステータコア２１と固定されてもよい。
【００３０】
外壁部６１の下面には、第２突出部６４が形成される。より詳細に述べると、第２突出部６４は、曲面部６１２の下面から下方に延びる部位である。第２突出部６４の下面６４１には、上方に凹む凹部６４２が形成される。
【００３１】
第１突出部６３の下端部は、軸受保持部６５に接続される。軸受保持部６５は、貫通孔を有し、軸方向に直交する方向に拡がる底面部６５１と、底面部６５１の径方向外縁から上方に延びる筒状の筒状部６５２と、を有する。筒状部６５２の径方向内面には、下軸受９２が固定される。
【００３２】
第２ハウジング６０は、軸方向に貫通する貫通孔６６を有する。第２ハウジング６０における貫通孔６６は、ハウジング４における貫通孔４４に相当する。貫通孔６６は、曲面部６１２の径方向内端６１２１と、筒状部６５２との径方向間に構成される。本実施形態においては、貫通孔６６は、周方向等間隔に３か所構成されている。
【００３３】
本実施形態においては、外壁部５２と外壁部６１とは、それぞれ周方向３か所に配置される。外壁部５２の径方向内方には、コイル２３が配置される。外壁部６１の径方向内方には、コイル２３が配置される。すなわち、外壁部５２と内壁部５３、及び、外壁部６１と内壁部６２は、軸方向に延びる流路を構成し、当該流路内には、コイル２３が配置される。
【００３４】
第３ハウジング７０は、ハウジング４の一部である。図３を参照して、第３ハウジング７０は、天面部７１と、筒部７２と、を有する。天面部７１は、軸方向に略直交する方向に拡がる部位である。天面部７１の少なくとも一部は、第１ハウジング５０と固定される。筒部７２は、天面部７１の径方向外縁から下方に延びる筒状の部位である。
【００３５】
天面部７１の上面には、上方に突出する環状の突出部７１１が形成される。突出部７１１から径方向外縁に向かって拡がる天面部７１の領域は、ハブ３１の上面と滑らかに接続する。これにより、インペラ３０によって排出された気体を滑らかに径方向外方かつ下方に向かって案内できる。
【００３６】
第４ハウジング８０は、ハウジング４の一部である。図２及び図３を参照して、第４ハウジング８０は、突出部８１と、筒部８２と、を有する。突出部８１は、インペラ３０の径方向外端よりも外方から、径方向内方かつ上方に延びる部位である。本実施形態においては、突出部８１は、上方に向かうにつれて径が小さくなる筒状の部位である。突出部８１の径方向内面は、ブレード３２の径方向外端と間隙を介して対向する。突出部８１には、径方向中心部において軸方向に貫通する吸気口８１１が形成される。これにより、インペラ３０が回転する際に、吸気口８１１よりも上方の気体が吸気口８１１を通って送風装置１００内に吸引され、インペラ３０によって下方に排出される。
【００３７】
筒部８２は、突出部８１の径方向外端部から下方に延びる筒状の部位である。筒部８２は、外筒部５１と固定される。本実施形態においては、筒部８２の径方向外面が外筒部５１の径方向内面と接触する。筒部７２の径方向外面と筒部８２の径方向内面とは、径方向に間隙を介して対向して流路を構成する。よって、インペラ３０から排出された気体は、まず、筒部７２の径方向外面と筒部８２の径方向内面との径方向間に構成される流路を下方に向かって流れる。次に、当該流路から下方に排出された気体の一部は、外壁部５２と外壁部６１の径方向内方を通って貫通孔６６から下方に排出される。また、気体の他の一部は、周方向に隣接する外壁部５２、及び外壁部６２の周方向間を下方に流れ、後述する基板９３に当たる。なお、筒部８２の径方向内面と外筒部５１の径方向内面は、滑らかに接続する。よって、筒部８２の径方向内方を下向きに流れる気体は、滑らかに外筒部５１及び外壁部５２の径方向内方を下向きに流れるため、送風装置１００の送風効率の低下を抑制できる。
【００３８】
コイル２３の径方向外面は、筒部７２の径方向外面よりも径方向内方に配置される。よって、筒部７２の径方向外方を下向きに流れた気体は、コイル２３の径方向外方を滑らかに下方に流れる。よって、気体の一部がコイル２３の上面に当たる場合に比べて、送風装置１００の送風効率の低下を抑制できる。
【００３９】
図２及び図３を参照して、第２ハウジング６０よりも下方には、基板９３が配置される。基板９３は、軸方向に直交する方向に拡がる板状の部材である。基板９３には、複数の素子９４が配置される。基板９３の上面の少なくとも一部は、第２突出部６４の下面６４１に接触する。基板９３と第２ハウジング６０とは、固定部材９５が基板９３の貫通孔を介して凹部６４２に固定されることによって互いに固定される。
【００４０】
図２から図８を参照して、ハウジング４は、コイル２３よりも径方向外方に配置される第１領域４１を有する。第１領域４１の径方向内面は、コイル２３の径方向外面と径方向に対向している。これにより、第１領域４１によってコイル２３の径方向外方に流路を構成できるため、インペラ３０によって排出された気体を第１領域４１に沿って流すことができる。よって、コイル２３の径方向外面近傍に気体を流すことができるため、コイル２３を効率良く冷却できる。
【００４１】
本実施形態においては、第１領域４１は、第１ハウジング５０の外壁部５２の一部と、第２ハウジング６０の外壁部６１の一部とに渡っている。つまり、外壁部５２は、第１領域５２１を有する。そして、外壁部６１は、第１領域６１３を有する。換言すると、第１ハウジング５０の外壁部５２が有する第１領域５２１と第２ハウジング６０の外壁部６１が有する第１領域６１３とによって、ハウジング４の第１領域４１が構成される。
【００４２】
ハウジング４は、第１領域４１よりも下方に配置される第２領域４２を有する。第２領域４２は、第１領域４１の下端から下方に拡がる領域である。本実施形態においては、第２ハウジング６０は、第２領域６１４を有する。第２ハウジング６０における第２領域６１４は、ハウジング４における第２領域４２に相当する。第２領域４２の径方向内端４２１は、第１領域４１の径方向内端４１１よりも径方向内方に配置されている。これにより、第１領域４１の径方向内方を流れる気体を中心軸Ｊに近づく方向に案内することができる。よって、コイル２３の下方に気体を誘導できるため、コイル２３を効率よく冷却できる。なお、第１ハウジング５０の少なくとも一部が第２領域４２を有していてもよい。
【００４３】
第２領域４２の径方向内面は、下方に向かうにつれて径方向内方に延びる。これにより、第２領域４２の径方向内方を流れる気体を効率良くコイル２３の近傍に案内できるため、コイル２３を効率良く冷却できる。本実施形態においては、第２領域４２の径方向内面は、下方に向かうにつれて径方向内方に延び、下方かつ径方向外方に凸となる曲面である。これにより、第２領域４２の径方向内方を流れる気体を滑らかに下方かつ径方向内方に案内できる。よって、送風装置１００の送風効率が低下することを抑制しつつ、コイル２３を効率良く冷却できる。なお、第２領域の４２の径方向内面は、下方に向かうにつれて径方向内方に延びる平面であってもよい。
【００４４】
第２領域４２の径方向内端４２１は、コイル２３の下端よりも下方、かつ、コイル２３の径方向外端よりも径方向内方に配置されている。すなわち、第２領域４２の径方向内面は、コイル２３の径方向外面から下面に向かって描かれる曲面に沿うように形成されている。これにより、第１領域４１の径方向内方を流れる気体を、コイル２３の径方向外方からコイル２３の下方に流すことができる。よって、送風装置１００の送風効率低下を抑制しつつ、コイル２３を効率よく冷却できる。
【００４５】
ハウジング４は、第３領域４３をさらに有する。第３領域４３は、第３領域一方側４３１と、第３領域他方側４３２と、を有する。第３領域一方側４３１は、コイル２３の第１方向Ｄ１の一方端よりも径方向一方において、第１領域４１から中心軸Ｊに近づく方向に延びる領域である。本実施形態においては、コイル２３を基準として、第１方向Ｄ１の一方側に配置される内壁部５３、６２が第３領域一方側４３１に相当する。第３領域他方側４３２は、コイル２３の第１方向Ｄ１の他方端よりも第１方向Ｄ１他方において、第１領域４１から中心軸Ｊに近づく方向に延びる領域である。本実施形態においては、コイル２３を基準として、第１方向Ｄ１の他方側に配置される内壁部５３、６２が第３領域他方側４３２に相当する。
【００４６】
より具体的に述べると、第１ハウジング５０における第３領域一方側５３１と第２ハウジング６０における第３領域一方側６２１が、第３領域一方側４３１に相当する。また、第１ハウジング５０における第３領域他方側５３２と第２ハウジング６０における第３領域他方側６２２が、第３領域他方側４３２に相当する。なお、第３領域４３は、第１ハウジング５０又は第２ハウジング６０の一方のみに配置されていてもよい。また、第３領域４３は、３つ以上の部材に渡って配置されていてもよい。
【００４７】
すなわち、ハウジング４は、コイル２３の第１方向Ｄ１の一方端よりも第１方向Ｄ１一方において、第１領域４１から中心軸Ｊに近づく方向に延びる第３領域４３を有する。これにより、コイル２３を基準として第１方向Ｄ１の一方側を流れる気体が第１方向Ｄ１一方側に拡がることを抑制できる。よって、より多くの気体がコイル２３の近傍を流れるため、コイル２３を効率良く冷却できる。特に、本実施形態においては、第１方向Ｄ１の一方側は、インペラ３０の回転方向前方側と一致する。よって、第３領域４３を有することによって、コイル２３を基準として、インペラ３０によって排出された気体の一部が第１方向Ｄ１の一方に向かって流れ、コイル２３から離れることを抑制し、気体を第３領域４３に沿って下方に流すことができる。よって、コイル２３の第１方向Ｄ１の一方側を流れる気体を増加させることができるため、コイル２３を効率良く冷却できる。
【００４８】
第３領域４３の下端は、コイル２３の下端よりも下方に配置される。これにより、コイル２３の下端に至るまで、コイル２３の第１方向Ｄ１の一方側面を冷却できる。よって、コイル２３を効率良く冷却できる。なお、コイル２３と第３領域４３との第１方向Ｄ１における距離は、軸方向において略一定であることが好ましい。これにより、第３領域４３が軸方向に延びる領域に渡って、コイル２３の近傍を流れる気体を増加させることができるので、コイル２３を効率良く冷却できる。
【００４９】
第３領域４３の少なくとも一部は、第２コア部２１３と周方向に接触している。これにより、第２ハウジング６０とステータコア２１とを周方向に位置決めできる。本実施形態においては、第３領域一方側４３１と第３領域他方側４３２との両方が、第２コア部２１３と周方向に接触している。よって、第２ハウジング６０とステータコア２１とをより精度良く周方向に位置決めできる。
【００５０】
ハウジング４は、第２領域４２よりも径方向内方において軸方向に貫通する貫通孔４４を有する。本実施形態においては、第２ハウジング６０が有する貫通孔６６が、貫通孔４４に相当する。これにより、外壁部５１の径方向内面を下方に向かって流れる気体を滑らかに第２ハウジング６０よりも下方に案内できる。よって、外壁部５１の径方向内端６１２１付近で乱流が発生することを抑制できる。また、本実施形態においては、第２ハウジング６０の下方に基板９３が配置されるため、貫通孔６６を通って下方に流れる気体が基板９３の上面に案内されることによって、基板９３を効率良く冷却できる。
【００５１】
本実施形態においては、素子９４の少なくとも一つが、貫通孔６６の下方に配置される。つまり、送風装置１００は、軸方向に略直交する方向に拡がり、上面に複数の素子９４が配置される基板９３を有する。素子９４の少なくとも一部は、貫通孔６６と軸方向に重なる。これにより、貫通孔６６を通って下方に流れる気体により、素子９４を効率良く冷却できる。なお、素子９４がＦＥＴである場合には、冷却効果が特に顕著である。
【００５２】
本実施形態においては、第１領域４１は、第１ハウジング５０と第２ハウジング６０の両方に渡って配置されている。しかし、第１ハウジング５０のみが第１領域４１を有していてもよいし、第２ハウジング６０のみが第１領域４１を有していてもよい。また、本実施形態においては、第２ハウジング６０のみが第２領域４２を有している。しかし、第１ハウジング５０と第２ハウジング６０の両方に渡って第２領域４２が配置されていてもよい。また、本実施形態においては、第１ハウジング５０と第２ハウジング６０の両方が第３領域４３を有している。しかし、第１ハウジング５０又は第２ハウジング６０の一方のみが第３領域４３を有していてもよい。つまり、単一又は複数の部材で構成されるハウジング４の少なくとも一部が第１領域４１、第２領域４２、第３領域４３を有している構成にしてもよい。
【００５３】
掃除機Ａは、上述の送風装置１００を備える。これにより、掃除機Ａにおいて、簡易な構成によって、送風装置１００の送風効率の低下を抑制しつつ、コイル２３を冷却することができる。
【００５４】
本明細書中に開示されている種々の技術的特徴は、その技術的創作の主旨を逸脱しない範囲で種々の変更を加えること、及び、組み合わせることが可能である。
【産業上の利用可能性】
【００５５】
本発明は、例えば、掃除機用の送風装置に利用することができる。
【符号の説明】
【００５６】
Ａ        掃除機
Ｄ１      第１方向
Ｄ２      第２方向
Ｆ        床面
Ｊ        中心軸
１００    送風装置
１０２    筐体
１０３    吸気部
１０４    排気部
１０５    把持部
１０６    操作部
１０６ａ  ボタン
１０７    吸引管
１０８    吸引ノズル
１        モータ
１０      ロータ
１１      シャフト
１２      マグネット
１２１    マグネット片
１３      上スペーサ
１４      下スペーサ
２０      ステータ
２１      ステータコア
２１１    アンブレラ部
２１２    第１コア部
２１３    第２コア部
２２      インシュレータ
２２１    上インシュレータ
２２２    下インシュレータ
２３      コイル
３０      インペラ
３１      ハブ
３２      ブレード
３３      インペラ凹部
４        ハウジング
４１      第１領域
４１１    径方向内端
４２      第２領域
４２１    径方向内端
４３      第３領域
４３１    第３領域一方側
４３２    第３領域他方側
４４      貫通孔
５０      第１ハウジング
５１      外筒部
５２      外壁部
５２１    第１領域
５３      内壁部
５３１    第３領域一方側
５３２    第３領域他方側
５４      突出部
５４１    下面
５５      軸受保持部
５５１    天面部
５５２    筒状部
６０      第２ハウジング
６１      外壁部
６１１    壁部
６１２    曲面部
６１２１  径方向内端
６１３    第１領域
６１４    第２領域
６２      内壁部
６２１    第３領域一方側
６２２    第３領域他方側
６３      第１突出部
６３１    上面
６４      第２突出部
６４１    下面
６４２    凹部
６５      軸受保持部
６５１    底面部
６５２    筒状部
６６      貫通孔
７０      第３ハウジング
７１      天面部
７１１    突出部
７２      筒部
８０      第４ハウジング
８１      突出部
８１１    吸気口
８２      筒部
９０      軸受
９１      上軸受
９２      下軸受
９３      基板
９４      素子
９５      固定部材
【図１】
2020193602.tif 000003
【図２】
2020193602.tif 000004
【図３】
2020193602.tif 000005
【図４】
2020193602.tif 000006
【図５】
2020193602.tif 000007
【図６】
2020193602.tif 000008
【図７】
2020193602.tif 000009
【図８】
2020193602.tif 000010